(57)【要約】【課題】対象物を効率良く管理することができ、かつ、管理情報の利用が容易な対象物管理サーバを提供する。【解決手段】対象物管理システム１は、橋梁２の点検者が使用する携帯電話機３と、管理サーバ４と、管理者端末５を備える。また、橋梁２と一体不可分な状態で二次元コード６が貼付けられている。また、携帯電話機３は、二次元コード６を読み取り可能に構成され、二次元コード６を読み取ることでＵＲＬを認識し、管理サーバ４にアクセス可能なものとなっている。【選択図】図１
2014229230.tif 000002
【特許請求の範囲】
【請求項１】
対象物の点検結果に関する情報である点検情報を記録する点検情報記録部と、
外部端末からユーザ識別情報を入力可能なユーザ識別情報入力部と、
外部端末から入力された前記ユーザ識別情報が所定の権限を持つユーザの識別情報であるか否かを判断すると共に、所定の権限を持つユーザの識別情報である場合には対象物に対応した前記点検情報記録部にアクセス可能な電子メールアドレスに関する情報であるアドレス情報を外部端末に表示せしめるアドレス情報表示部と、
前記アドレス情報の電子メールアドレス宛てに外部端末から送信された対象物の最新の点検結果に関する情報である最新点検情報を受信し、かつ、前記点検情報記録部に記録された前記点検情報の少なくとも一部を前記最新点検情報へと内容を更新する情報更新部とを備える
対象物管理サーバ。
【請求項２】
前記ユーザ識別情報入力部は、対象物と一体不可分に貼付された識別子を外部端末で読み取ることで外部端末に表示される入力フォームに前記ユーザ識別情報を入力可能に構成された
請求項１に記載の対象物管理サーバ。
【請求項３】
前記点検情報記録部は、前記点検情報として、対象物を外部端末で撮影した撮影日時を示す情報と一体不可分な状態の画像、対象物の撮影箇所、点検項目及び損傷度を記録し、
前記情報更新部は、前記最新点検情報として、対象物を外部端末で撮影した撮影日時を示す情報と一体不可分な状態の画像、対象物の撮影箇所、点検項目及び損傷度を受信し、かつ、内容を更新する
請求項１または請求項２に記載の対象物管理サーバ。
【請求項４】
前記情報更新部が前記最新点検情報を受信したのと同時に、同最新点検情報を所定の記載形式で作成し、かつ、印刷して出力可能な書類データに反映させる書類データ反映部を備える
請求項１、請求項２または請求項３に記載の対象物管理サーバ。
【請求項５】
外部端末から入力された前記ユーザ識別情報が所定の権限を持つユーザの識別情報であるか否かを判断すると共に、所定の権限を持つユーザの識別情報である場合には前記点検情報記録部に記録された前記点検情報を外部端末に表示せしめる管理情報表示部を備える
請求項１、請求項２、請求項３または請求項４に記載の対象物管理サーバ。
【請求項６】
前記点検情報記録部に記録された前記点検情報の公開について、所定の権限を有するユーザが決定した公開の可否を記録し、かつ、公開可能な前記点検情報を外部からアクセス可能な公開手段に公開する点検情報公開部を備える
請求項１、請求項２、請求項３、請求項４または請求項５に記載の対象物管理サーバ。
【請求項７】
前記識別子は、所定の情報が識別可能に表示されると共に、対象物に貼着された識別子本体と、該識別子本体上に貼着されたガラス連続繊維シートと、該ガラス連続繊維シートを封止した樹脂材料とを有する透明若しくは半透明の識別子であって、対象物と前記識別子本体との接着強度よりも、前記識別子本体と前記ガラス連続繊維シートとの接着強度が小さい
請求項２に記載の対象物管理サーバ。
【請求項８】
前記情報更新部は、受信した前記最新点検情報の画像の写真撮影日時、送信日時及び受信日時のうち、前記写真撮影日時と前記送信日時、または、前記送信日時と前記受信日時の間の時間差が所定の時間内である場合に、前記情報更新部が前記点検情報記録部に記録された前記点検情報の少なくとも一部を前記最新点検情報へと内容を更新する
請求項３に記載の対象物管理サーバ。
【請求項９】
前記点検情報記録部に記録された前記点検情報の損傷度を元に対象物の損傷具合の判定を行う損傷度判定部とを備える
請求項３に記載の対象物管理サーバ。
【請求項１０】
前記アドレス情報表示部は、所定の緊急時には対象物と一体不可分に貼付された識別子を外部端末で読み取ることで対象物に対応した前記点検情報記録部にアクセス可能な電子メールアドレスに関する情報であるアドレス情報を外部端末に表示せしめ、
前記アドレス情報の電子メールアドレス宛てに外部端末から送信された対象物の状況に関する情報である現況情報を受信する現況情報受信部を備える
請求項１、請求項２、請求項３、請求項４、請求項５、請求項６、請求項７、請求項８または請求項９に記載の対象物管理サーバ。
【請求項１１】
前記情報更新部が、前記点検情報記録部に記録された前記点検情報の少なくとも一部を前記最新点検情報へと内容を更新した際に、同点検情報記録部の更新前の同点検情報を履歴情報として記録する履歴情報記録部を備える
請求項１、請求項２、請求項３、請求項４、請求項５、請求項６、請求項７、請求項８、請求項９または請求項１０に記載の対象物管理サーバ。
【請求項１２】
対象物の点検結果に関する情報である点検情報を送信する外部端末と、
該外部端末が送信した前記点検情報を記録する点検情報記録部と、前記外部端末からユーザ識別情報を入力可能なユーザ識別情報入力部と、前記外部端末から入力された前記ユーザ識別情報が所定の権限を持つユーザの識別情報であるか否かを判断すると共に、所定の権限を持つユーザの識別情報である場合には対象物に対応した前記点検情報記録部にアクセス可能な電子メールアドレスに関する情報であるアドレス情報を前記外部端末に表示せしめるアドレス情報表示部と、前記アドレス情報の電子メールアドレス宛てに前記外部端末から送信された対象物の最新の点検結果に関する情報である最新点検情報を受信し、かつ、前記点検情報記録部に記録された前記点検情報の少なくとも一部を前記最新点検情報へと内容を更新する情報更新部とを有する対象物管理サーバとを備える
対象物管理システム。
【請求項１３】
対象物の点検箇所を外部端末で撮影し、損傷度を判定する点検ステップと、
対象物と一体不可分に貼付された識別子を外部端末で読み取ることで表示される入力フォームからユーザ識別情報を入力する識別情報入力ステップと、
該識別情報入力ステップでユーザ識別情報を入力することで外部端末に表示される対象物に対応した電子メールアドレス宛てに、前記点検ステップで撮影した撮影日時を示す情報と一体不可分な状態の画像、対象物の撮影箇所、点検項目及び損傷度を含む最新点検情報を送信する点検情報送信ステップと、
管理サーバに記録された対象物の点検情報の少なくとも一部を前記点検情報送信ステップで送信された前記最新点検情報へと内容を更新する情報更新ステップと、
前記最新点検情報を所定の記載形式で作成され、かつ、印刷して出力可能な書類データに反映させる書類データ反映ステップとを備える
対象物管理方法。
【請求項１４】
前記点検情報送信ステップは、前記最新点検情報として前記識別子を外部端末で撮影した撮影日時を示す情報と一体不可分な状態の識別子画像を含み、
前記点検情報送信ステップで送信された前記識別子画像を端末画面上に表示して外部端末で読み取り、対象物と前記識別子画像が正しい組合せであるか否かを確認する識別子確認ステップを備える
請求項１３に記載の対象物管理方法。
【発明の詳細な説明】
【技術分野】
【０００１】
本発明は対象物管理サーバ、対象物管理システム及び対象物管理方法に関する。詳しくは、対象物を効率良く管理することができ、かつ、管理情報の利用が容易な対象物管理サーバ、対象物管理システム及び対象物管理方法に係るものである。
【背景技術】
【０００２】
道路、橋梁、トンネル等の社会生活を支える道路構造物や、学校や病院等の多くの人間が使用する建造物は、安全かつ継続的に使用するために、定期的な点検に基づく適切な維持管理が必要となる。
【０００３】
特に、道路構造物については、点検対象が広範囲になりやすく、また、一時期に集中的に建設されたことで点検時期が重なってしまうことがある。このため、維持管理に必要な点検や、情報管理、保守作業等に莫大な時間や費用を投じる必要が生じている。
【０００４】
近年では、構造物の点検に要するコスト不足や人員不足を原因に維持管理作業が疎かになり、重大な事故につながるケースも存在し、社会的に大きな問題となっている。
【０００５】
こうしたなか、構造物の維持管理のための３次元スキャニング計測データを活用した効率的な構造物管理システムが存在し、例えば、特許文献１に構造物管理用電子台帳システムが提案されている。
【０００６】
ここで、特許文献１には、図９に示すような構造物管理用電子台帳システム１００が記載されている。構造物管理用電子台帳システム１００は、３次元スキャニング計測データを取得し、取得した３次元データを現況データとして活用可能なＣＡＤデータに変換する。
【０００７】
また、構造物管理用電子台帳システム１００は、既設管理システムからその他の管理データを取得し、それらのデータに基づいて橋梁の全体および各部分の各種図面およびその他の管理情報を作成する。作成した各種図面およびその他の管理情報を画面検索により出力するよう電子台帳のシステムを構成する。
【先行技術文献】
【特許文献】
【０００８】
【特許文献１】特開２００６−１４６６１４号公報
【発明の概要】
【発明が解決しようとする課題】
【０００９】
しかしながら、特許文献１の管理システムは、計測データをＣＡＤデータに変換した上で各種図面及び管理情報を作成するため、ＣＡＤの操作知識や図面に関する知識等が必要となる。即ち、専門知識が無ければ効率よく扱うことができないシステムとなっている。
【００１０】
また、管理システムの利用にあたって専門知識を要することから、計測データの取得やデータのシステムへの反映を外部に委託して、その集積データの保管のみを行うケースが多く見られる。結果として、委託費やシステムの導入コストをかけても、対象物の管理が効率よく行えるものとはなっていない。
【００１１】
また、従来の管理システムには、対象物の写真データを集積し、管理するという内容のものも存在するが、損傷に関する情報や、過去の点検履歴情報など詳細な情報と一体化しておらず、充分な管理が行えるものではなかった。
【００１２】
本発明は、以上の点に鑑みて創案されたものであり、対象物を効率良く管理することができ、かつ、管理情報の利用が容易な対象物管理サーバ、対象物管理システム及び対象物管理方法を提供することを目的とする。
【課題を解決するための手段】
【００１３】
上記の目的を達成するために、本発明の対象物管理サーバは、対象物の点検結果に関する情報である点検情報を記録する点検情報記録部と、外部端末からユーザ識別情報を入力可能なユーザ識別情報入力部と、外部端末から入力された前記ユーザ識別情報が所定の権限を持つユーザの識別情報であるか否かを判断すると共に、所定の権限を持つユーザの識別情報である場合には対象物に対応した前記点検情報記録部にアクセス可能な電子メールアドレスに関する情報であるアドレス情報を外部端末に表示せしめるアドレス情報表示部と、前記アドレス情報の電子メールアドレス宛てに外部端末から送信された対象物の最新の点検結果に関する情報である最新点検情報を受信し、かつ、前記点検情報記録部に記録された前記点検情報の少なくとも一部を前記最新点検情報へと内容を更新する情報更新部とを備える。
【００１４】
ここで、対象物の点検結果に関する情報である点検情報を記録する点検情報記録部によって、各対象物を点検することで得られた点検情報をサーバに記録させることができる。
【００１５】
また、外部端末からユーザ識別情報を入力可能なユーザ識別情報入力部によって、外部端末からユーザ識別情報の入力を行うことができる。なお、ユーザ識別情報とは、サーバ利用者の利用目的に応じて付与された個別のＩＤやパスワード等の情報を意味する。
【００１６】
また、外部端末から入力されたユーザ識別情報が所定の権限を持つユーザの識別情報であるか否かを判断するアドレス情報表示部によって、利用者が権限を有するものか否かを判断することが可能となる。即ち、権限を持つもののみがサーバを利用することができる。
【００１７】
また、外部端末から入力されたユーザ識別情報が所定の権限を持つユーザの識別情報であるか否かを判断すると共に、所定の権限を持つユーザの識別情報である場合には対象物に対応した点検情報記録部にアクセス可能な電子メールアドレスに関する情報であるアドレス情報を外部端末に表示せしめるアドレス情報表示部によって、権限を有するユーザが使用する外部端末に管理の対象物に関する点検情報記録部にアクセスするための電子メールアドレスを表示させることができる。
【００１８】
また、アドレス情報の電子メールアドレス宛てに外部端末から送信された対象物の最新の点検結果に関する情報である最新点検情報を受信する情報更新部によって、管理の対象物の最新点検情報を受信することができる。
【００１９】
また、点検情報記録部に記録された点検情報の少なくとも一部を最新点検情報へと内容を更新する情報更新部によって、サーバに記録された管理の対象物に関する点検情報を、都度、最新の点検情報に更新することができる。なお、情報の更新は、最新の点検情報の全てを反映させるものでもよいし、その一部のみで更新を行うものであってもよい。
【００２０】
また、ユーザ識別情報入力部が、対象物と一体不可分に貼付された識別子を外部端末で読み取ることで外部端末に表示される入力フォームにユーザ識別情報を入力可能に構成された場合には、ユーザ識別情報の入力が容易になる。即ち、対象物に付いた識別子を外部端末で読み取るだけで、ユーザ識別情報の入力可能な状態となる。なお、外部端末での読み取りとは、例えば、携帯電話等のカメラ機能を利用した読み取り操作を意味する。
【００２１】
また、ユーザ識別情報入力部が、対象物と一体不可分に貼付された識別子を外部端末で読み取ることで外部端末に表示される入力フォームにユーザ識別情報を入力可能に構成された場合には、識別子を対象物から他の物へ付け替えることを抑止することができる。即ち、対象物の取り違えや、特定の対象物の点検情報を故意に入れ替える不正な管理行為が生じにくくなり、点検の整合性を担保することが可能となる。
【００２２】
また、点検情報記録部は、点検情報として、対象物を外部端末で撮影した撮影日時を示す情報と一体不可分な状態の画像を記録する場合には、管理する情報の確認時に画像の撮影日時を確認することができる。また、画像と撮影日時の情報が一体不可分であるために、画像の撮影日時の改竄等の不正を行うことができず、過去に撮影した他の画像を点検情報として代用するといった不正を抑制することができる。
【００２３】
また、点検情報記録部は、点検情報として、対象物を外部端末で撮影した撮影日時を示す情報と一体不可分な状態の画像、対象物の撮影箇所、点検項目及び損傷度を記録する場合には、管理の対象物に関する詳細な情報を記録することができる。即ち、点検箇所の画像だけでなく、必要に応じた点検項目の結果も併せて記録することが可能となる。
【００２４】
また、情報更新部は、最新点検情報として、対象物を外部端末で撮影した撮影日時を示す情報と一体不可分な状態の画像を受信し、かつ、内容を更新する場合には、管理する情報の確認時に画像の撮影日時を確認することができる。また、画像と撮影日時の情報が一体不可分であるために、画像の撮影日時の改竄等の不正を行うことができず、過去に撮影した他の画像を点検情報として代用するといった不正を抑制することができる。
【００２５】
また、情報更新部は、最新点検情報として、対象物を外部端末で撮影した撮影日時を示す情報と一体不可分な状態の画像、対象物の撮影箇所、点検項目及び損傷度を受信し、かつ、内容を更新する場合には、管理の対象物に関する詳細な情報をもって、内容を更新することができる。即ち、点検箇所の画像だけでなく、必要に応じた点検項目の結果も併せて内容を更新することが可能となる。
【００２６】
また、情報更新部が最新点検情報を受信したのと同時に、最新点検情報を所定の記載形式で作成し、かつ、印刷して出力可能な書類データに反映させる書類データ反映部を備える場合には、点検後の情報をすぐに必要な書面の形式で出力可能となる。例えば、管理する情報を定型の調書として提出する必要がある際にも、すぐに書面に仕上げることができ、作業の効率化を図ることができる。
【００２７】
また、外部端末から入力されたユーザ識別情報が所定の権限を持つユーザの識別情報であるか否かを判断すると共に、所定の権限を持つユーザの識別情報である場合には点検情報記録部に記録された点検情報を外部端末に表示せしめる管理情報表示部を備える場合には、所定の権限を有するユーザに対して、管理対象物の点検情報記録を表示することができる。例えば、個別の管理対象物のページ及び全管理対象物をまとめた一覧ページ等を作成し、点検状況の確認や情報管理を効率良く行うことが可能となる。
【００２８】
また、点検情報記録部に記録された点検情報の公開について、所定の権限を有するユーザが決定した公開の可否を記録し、かつ、公開可能な点検情報を外部からアクセス可能な公開手段に公開する点検情報公開部を備える場合には、管理対象物の点検情報のうち、選択した任意の情報を外部に公開することが可能となる。例えば、公共施設の建造物に関する点検状況を一般市民に公開して、公共事業や管理事業の情報提供を行うことができる。
【００２９】
また、識別子は、所定の情報が識別可能に表示されると共に、対象物に貼着された識別子本体と、識別子本体上に貼着されたガラス連続繊維シートと、ガラス連続繊維シートを封止した樹脂材料とを有する透明若しくは半透明の識別子であって、対象物と識別子本体との接着強度よりも、識別子本体とガラス連続繊維シートとの接着強度が小さい場合には、識別子本体を対象物から剥離しようとすると、識別子本体が破損してしまうこととなる。そのため、識別子本体を対象物から他の物への付け替えを抑止することができ、点検の整合性を担保することが可能となる。
【００３０】
また、情報更新部は、受信した最新点検情報の画像の写真撮影日時、送信日時及び受信日時のうち、写真撮影日時と送信日時、または、送信日時と受信日時の間の時間差が所定の時間内である場合に、情報更新部が点検情報記録部に記録された点検情報の少なくとも一部を最新点検情報へと内容を更新する場合には、画像と撮影日時の情報が一体不可分であるために、一定時間内に撮影、送信及び受信がなされた情報のみを更新に用いる最新の点検情報として取り扱うことが可能となる。即ち、点検からサーバの情報受信までを一連の流れで行う必要が生じ、過去に撮影した他の画像を点検情報として代用するといった不正を抑制することができる。
【００３１】
また、点検情報記録部に記録された点検情報の損傷度を元に対象物の損傷具合の判定を行う損傷度判定部を備える場合には、対象物の総合的な損傷度合を判定することができる。例えば、損傷度の大きな点検箇所の数を基準として、その数が一定数以上になった場合に、対象物を要注意の構造物として判定する等の仕組みが考えられる。
【００３２】
また、アドレス情報表示部が、所定の緊急時には対象物と一体不可分に貼付された識別子を外部端末で読み取ることで対象物に対応した点検情報記録部にアクセス可能な電子メールアドレスに関する情報であるアドレス情報を外部端末に表示せしめ、アドレス情報の電子メールアドレス宛てに外部端末から送信された対象物の状況に関する情報である現況情報を受信する現況情報受信部を備える場合には、緊急時にアクセス権限を持たないものが管理対象物に関する情報をサーバへ送ることが可能となる。例えば、地震の発生後に管理対象物の現況の画像データを、権限を持たないものがサーバに送り、状況を知らせることができる。
【００３３】
また、情報更新部が、点検情報記録部に記録された点検情報の少なくとも一部を最新点検情報へと内容を更新した際に、点検情報記録部の更新前の点検情報を履歴情報として記録する履歴情報記録部を備える場合には、管理対象物の点検情報の履歴を確認することが可能となる。即ち、履歴情報記録部には、情報更新部が最新点検情報へと内容を更新した際に、古くなった情報が蓄積されていくことになる。
【００３４】
また、上記の目的を達成するために、本発明の対象物管理システムは、対象物の点検結果に関する情報である点検情報を送信する外部端末と、該外部端末が送信した前記点検情報を記録する点検情報記録部と、前記外部端末からユーザ識別情報を入力可能なユーザ識別情報入力部と、前記外部端末から入力された前記ユーザ識別情報が所定の権限を持つユーザの識別情報であるか否かを判断すると共に、所定の権限を持つユーザの識別情報である場合には対象物に対応した前記点検情報記録部にアクセス可能な電子メールアドレスに関する情報であるアドレス情報を前記外部端末に表示せしめるアドレス情報表示部と、前記アドレス情報の電子メールアドレス宛てに前記外部端末から送信された対象物の最新の点検結果に関する情報である最新点検情報を受信し、かつ、前記点検情報記録部に記録された前記点検情報の少なくとも一部を前記最新点検情報へと内容を更新する情報更新部とを有する対象物管理サーバとを備える。
【００３５】
ここで、対象物の点検結果に関する情報である点検情報を送信する外部端末によって、サーバに管理対象物の点検情報を送信することができる。なお、外部端末とは携帯電話等の外部での通信可能な端末を意味する。携帯電話の写真撮影機能を利用して、サーバに画像データや点検情報を送信することが可能となる。
【００３６】
また、上記の目的を達成するために、本発明の対象物管理方法は、対象物の点検箇所を外部端末で撮影し、損傷度を判定する点検ステップと、対象物と一体不可分に貼付された識別子を外部端末で読み取ることで表示される入力フォームからユーザ識別情報を入力する識別情報入力ステップと、該識別情報入力ステップでユーザ識別情報を入力することで外部端末に表示される対象物に対応した電子メールアドレス宛てに、前記点検ステップで撮影した撮影日時を示す情報と一体不可分な状態の画像、対象物の撮影箇所、点検項目及び損傷度を含む最新点検情報を送信する点検情報送信ステップと、管理サーバに記録された対象物の点検情報の少なくとも一部を前記点検情報送信ステップで送信された前記最新点検情報へと内容を更新する情報更新ステップと、前記最新点検情報を所定の記載形式で作成され、かつ、印刷して出力可能な書類データに反映させる書類データ反映ステップとを備える。
【００３７】
ここで、対象物の点検箇所を外部端末で撮影し、損傷度を判定する点検ステップによって、管理対象物の点検箇所の画像情報及び各点検箇所の損傷度の情報を作成することになる。即ち、管理対象物の現況を詳細な画像情報で確認し、損傷度の情報を元に、その後の保守や点検作業の計画を立てることができる。
【００３８】
また、対象物と一体不可分に貼付された識別子を外部端末で読み取ることで表示される入力フォームからユーザ識別情報を入力する識別情報入力ステップによって、容易にユーザ識別情報を入力することができる。即ち、対象物に付いた識別子を外部端末で読み取るだけで、ユーザ識別情報の入力部に行き着き、ユーザ識別情報を入力することができる。
【００３９】
また、識別情報入力ステップでユーザ識別情報を入力することで外部端末に表示される対象物に対応した電子メールアドレス宛てに、点検ステップで撮影した撮影日時を示す情報と一体不可分な状態の画像、対象物の撮影箇所、点検項目及び損傷度を含む最新点検情報を送信する点検情報送信ステップによって、サーバに管理対象物の詳細な点検情報を送信することができる。
【００４０】
また、管理サーバに記録された対象物の点検情報の少なくとも一部を点検情報送信ステップで送信された最新点検情報へと内容を更新する情報更新ステップとによって、サーバに記録された管理対象物の点検情報を最新のものに更新することができる。
【００４１】
また、最新点検情報を所定の記載形式で作成され、かつ、印刷して出力可能な書類データに反映させる書類データ反映ステップによって、サーバに記録された管理対象物の点検後の情報をすぐに必要な書面の形式で出力することが可能となる。
【００４２】
また、点検情報送信ステップは、最新点検情報として識別子を外部端末で撮影した撮影日時を示す情報と一体不可分な状態の識別子画像を含み、点検情報送信ステップで送信された識別子画像を端末画面上に表示して外部端末で読み取り、対象物と識別子画像が正しい組合せであるか否かを確認する識別子確認ステップを備える場合には、サーバが受信する点検情報の中に、識別子自体を撮影した画像情報が含まれることとなる。このため、管理者側の端末画面に表示した画像情報からも識別子を読み取ることができる。即ち、管理者側でも、識別子を読み取り、点検対象の対象物であるか否かを確認することができ、点検の整合性を担保することが可能となる。
【発明の効果】
【００４３】
本発明に係る対象物管理サーバは、対象物を効率良く管理することができ、かつ、管理情報の利用が容易なものとなっている。
また、本発明に係る対象物管理システムは、対象物を効率良く管理することができ、かつ、管理情報の利用が容易なものとなっている。
また、本発明に係る対象物管理方法は、対象物を効率良く管理することができ、かつ、管理情報の利用が容易なものとなっている。
【図面の簡単な説明】
【００４４】
【図１】本発明を適用した対象物管理システムの構成の一例を示す概略図である。
【図２】二次元コードの構造を示した概略図である。
【図３】全橋梁管理ページを示した概略図である。
【図４】個別管理ページを示した概略図である。
【図５】本発明を適用した対象物管理方法の点検の流れを示すフロー図である。
【図６】情報更新部による点検情報の更新を示す概略図である。
【図７】管理情報出力部による書類作成を示す概略図である。
【図８】情報更新部の点検情報の更新時の条件を示す概略図である。
【図９】従来の構造物管理システムを示す概略図である。
【発明を実施するための形態】
【００４５】
以下、本発明の実施の形態について図面を参照しながら説明し、本発明の理解に供する。
図１は、本発明を適用した対象物管理システムの構成の一例を示す概略図である。図２は、二次元コードの構造を示した概略図である。図３は、全橋梁管理ページを示した概略図である。図４は、個別管理ページを示した概略図である。
【００４６】
図１に示すように、本発明を適用した対象物管理システム１は、橋梁２の点検者が使用する携帯電話機３と、管理サーバ４と、管理者端末５を備える。
【００４７】
ここで、携帯電話機３は、橋梁２の点検情報を管理サーバ４に送信するための端末の一例であり、必ずしも、点検者が使用する端末が携帯電話機３に限定されるものではない。但し、写真撮影機能や二次元コード等の識別子の読み取り機能を備えている点、及び、多くの人が所有しており管理システムの汎用性が高くなる点から、点検者が使用する端末は携帯電話機３であることが好ましい。
【００４８】
また、必ずしも、管理対象物が橋梁２である必要はなく、橋梁は本発明を適用可能な管理対象物の一例に過ぎない。管理が必要な建造物であれば本発明の適用が可能であり、例えば、道路、トンネル、線路、水道管、電柱・電線等も使用可能な対象物として挙げられる。また、建造物の管理にも使用することができる。
【００４９】
また、図１に示すように、橋梁２には二次元コード６が貼付けられている。橋梁２と二次元コード６は一体不可分なものとなっている。また、携帯電話機３は、二次元コード６を読み取り可能に構成され、二次元コード６を読み取ることでＵＲＬを認識し、管理サーバ４にアクセス可能なものとなっている。
【００５０】
また、管理サーバ４は、入力フォーム部７を有している。入力フォーム部７は、携帯電話機３が二次元コード６を読み取り、管理サーバ４にアクセスすると、携帯電話機３の画面にユーザ識別情報の入力フォームを表示させるものとなっている。なお、ユーザ識別情報とは、点検者が所定の権限を有するものであるか否かを判断するためのＩＤやパスワードのことを指している。
【００５１】
また、管理サーバ４は、電子メールアドレス表示部８を有している。電子メールアドレス表示部８は、所定の権限を有するものに付与されるユーザ識別情報が登録されている。また、電子メールアドレス表示部８は、携帯電話機３に表示される入力フォームに入力されるユーザ識別情報が、登録されたユーザ識別情報に合致するか否かの判断を行うものとなっている。
【００５２】
また、電子メールアドレス表示部８は、入力フォームに入力されるユーザ識別情報が、登録されたユーザ識別情報に合致する場合には、携帯電話機３の画面に、橋梁２に対応した電子メールアドレスを表示させるものとなっている。ユーザは、ここで表示される電子メールアドレス宛てに、橋梁２の点検情報を送信することができる。
【００５３】
また、管理サーバ４は、橋梁２の点検結果を記録した点検情報データベース９を有している。また、点検情報データベース９には、橋梁２の点検情報として、橋梁の点検箇所を携帯電話機３で撮影した写真データ１０、点検箇所情報１１、点検項目情報１２及び点検箇所の損傷度情報１３が記録されている。なお、写真データ１０は携帯電話機３で撮影され、撮影日時と画像データが一体不可分なものとなっている。
【００５４】
また、点検者が、橋梁２に対応する電子メールアドレス宛てに送信した点検情報は、管理サーバ４の情報更新部１４が受信する。
【００５５】
また、情報更新部１４は、点検情報データベース９に記録された点検情報を受信した橋梁２に関する最新の点検情報へと更新するものとなっている。また、管理サーバ４は、更新により古くなった点検情報を履歴情報データベース１５に記録し、履歴情報として残せるものとなっている。情報の更新は、最新の点検情報の全てを反映させる場合と、その一部のみで更新を行う場合とを任意で設定可能なものとなっている。
【００５６】
また、情報更新部１４は、管理対象物の写真データの写真撮影日時と管理サーバ４への情報の送信日時、または、管理サーバ４への情報の送信日時と情報の受信日時の間の時間差が所定の時間内である場合にのみ、点検情報の更新を行うものとなっている。例えば、各時間差を１０分以内に設定し、点検者による写真撮影と情報送信の間、または、情報送信とサーバの受信の間が１０分を超えていた場合には、点検情報データベース９の内容の更新は行われない。
【００５７】
また、管理サーバ４は、点検情報の点検箇所の損傷度情報１３に基づき、橋梁２の損傷度判定を行う損傷度判定部１８を有している。損傷度判定部１８の判定に基づき、その後の点検頻度の設定や保守等の対策を講じることが可能となる。
【００５８】
また、管理サーバ４は、管理情報出力部１６を有している。管理情報出力部１６は、情報更新部１４が、点検情報データベース９の内容を更新したのと同時に、更新した情報の内容を含めて、所定の記載形式の書類１７に情報を反映させる。
【００５９】
ここで、必ずしも、橋梁２と一体不可分な状態で二次元コード６が貼付けられる必要はない。但し、特定の橋梁の点検情報を故意に入れ替える不正な管理行為が生じにくくなり、点検の整合性を担保することが可能となる点から、橋梁２と一体不可分な状態で二次元コード６が貼付けられることが好ましい。
【００６０】
また、必ずしも、橋梁の点検情報として、橋梁の点検箇所を携帯電話機で撮影した写真データ１０、点検箇所情報１１、点検項目情報１２及び点検箇所の損傷度情報１３が記録される必要はない。但し、橋梁の詳細な情報を記録し、充分な管理が可能となる点から、橋梁の点検情報として、橋梁の点検箇所を携帯電話機で撮影した写真データ１０、点検箇所情報１１、点検項目情報１２及び点検箇所の損傷度情報１３が記録されることが好ましい。さらに、管理の充実化を図るためのその他の情報、例えば、点検者のコメント情報等を記録することもできる。
【００６１】
また、必ずしも、管理サーバ４が履歴情報データベース１５を有する必要はない。但し、最新の点検情報だけでなく、過去の情報も確認可能とすることで、点検や管理作業の効率化を図ることができる点から、管理サーバ４が履歴情報データベース１５を有することが好ましい。
【００６２】
また、必ずしも、情報更新部１４が管理対象物の写真データの写真撮影日時と管理サーバ４への情報の送信日時、または、管理サーバ４への情報の送信日時と情報の受信日時の間の時間差が所定の時間内である場合にのみ点検情報の更新を行うものとされる必要はない。但し、点検からサーバの情報受信までを一連の流れで行う必要が生じ、過去に撮影した他の画像を点検情報として代用するといった不正を抑制することができる点から、情報更新部１４が、管理対象物の写真データの写真撮影日時と管理サーバ４への情報の送信日時、または、管理サーバ４への情報の送信日時と情報の受信日時の間の時間差が所定の時間内である場合にのみ点検情報の更新を行うものとされることが好ましい。
【００６３】
また、必ずしも、管理サーバ４が損傷度判定部１８を有する必要はない。但し、橋梁の複数に渡る点検箇所の損傷度情報に基づき、自動で総合的な損傷度が分かり、管理の効率化が図れる点から、管理サーバ４が、損傷度判定部１８を有することが好ましい。
【００６４】
また、必ずしも、管理サーバ４が管理情報出力部１６を有する必要はない。但し、点検後の情報をすぐに必要な書面の形式で出力可能となり、管理作業の効率化が図れる点から、管理サーバ４が管理情報出力部１６を有することが好ましい。
【００６５】
また、図１に示すように、管理サーバ４は、管理情報表示部１９を有している。管理情報表示部１９は、管理サーバ４の全ての橋梁に関する情報を一覧表示した全橋梁管理ページ２０及び各橋梁の詳細な管理情報を掲載した個別管理ページ２１を有している。各ページからは、管理サーバ４に記録された点検情報データベース９や履歴情報データベース１５を開くことや、管理情報出力部１６に書類を出力させることも可能となっている。
【００６６】
また、管理情報表示部１９には、管理者端末５や、アクセス権限の付与されたＩＤやパスワードを入力することで携帯電話機３や外部の端末からもアクセス可能なものとなっている。
【００６７】
また、管理サーバ４は、管理する情報の公開を行う情報公開部２２を有している。情報公開部２２は、管理者端末５が公開可能とした管理情報のみを外部に公開するものとなっている。例えば、点検情報データベース９等へのアクセス権限を持たないものが外部端末２３から情報公開部にアクセスし、公開された管理対象物の点検情報や、保守状況等の情報を確認できるものとなっている。
【００６８】
また、携帯電話機３と、管理サーバ４と、管理者端末５はそれぞれ、インターネット２８を介して繋がっている。
【００６９】
ここで、必ずしも、管理サーバ４が管理情報表示部１９を有する必要はない。但し、管理対象物の一元管理や、個別の対象物の詳細な情報の確認が容易になり、管理作業の効率化が図れる点から、管理サーバ４が管理情報表示部１９を有することが好ましい。
【００７０】
また、必ずしも、管理サーバ４が情報公開部を有する必要はない。但し、一般市民等に公共施設に関する管理事業の情報提供が可能となる点から、管理サーバ４が情報公開部を有することが好ましい。
【００７１】
また、必ずしも、携帯電話機３と、管理サーバ４と、管理者端末５はそれぞれ、インターネット２８を介して繋がっている必要はなく、相互に通信可能なシステムとなっていれば充分である。
【００７２】
また、図２に示すように、二次元コード６は、橋梁２と、橋梁２の表面に貼り付けられた二次元コード本体２３と、二次元コード本体２３の表面に透明ポリウレタン樹脂２４を介して貼着されたガラス連続繊維シート２５を有する。また、ガラス連続繊維シート２５を封止するポリウレタン樹脂２６と、ファイナルコーティングとしての透明ポリウレタン樹脂２７を有する。ガラス連続繊維シート２５は、補強用繊維シートとして機能する。
【００７３】
なお、透明ポリウレタン樹脂２４、ガラス連続繊維シート２４、ポリウレタン樹脂２６及び透明ポリウレタン樹脂２７で構成される構造は透明（半透明）を呈しており、透明ポリウレタン樹脂２４、ガラス連続繊維シート２５、ポリウレタン樹脂２６及び透明ポリウレタン樹脂２７を介して二次元コード本体６の情報が読み取り可能である。
【００７４】
また、橋梁２と二次元コード本体２３との接着強度よりも、二次元コード本体２３とガラス連続繊維シート２４との接着強度が小さいものとなっている。よって、二次元コード６を橋梁２から引き剥がそうとすると、二次元コード本体２３が破れてしまうこととなる。
【００７５】
ここで、必ずしも、二次元コード６が、二次元コード本体２３と透明ポリウレタン樹脂２４とガラス連続繊維シート２５とポリウレタン樹脂２６と透明ポリウレタン樹脂２７を有する構造とされる必要はない。但し、二次元コード６の表面が透明で貼りつけられた状態でも携帯電話等で情報の読み取りが可能になる点から、二次元コード６が、二次元コード本体２３と透明ポリウレタン樹脂２４とガラス連続繊維シート２５とポリウレタン樹脂２６と透明ポリウレタン樹脂２７を有する構造とされることが好ましい。
【００７６】
また、必ずしも、橋梁２と二次元コード本体２３との接着強度よりも、二次元コード本体２３とガラス連続繊維シート２４との接着強度が小さいものとなる必要はない。但し、橋梁２と二次元コード６との一体不可分性を担保することができ、二次元コード６の他の橋梁への付け替えを抑止することができる点から、橋梁２と二次元コード本体２３との接着強度よりも、二次元コード本体２３とガラス連続繊維シート２４との接着強度が小さいものとなることが好ましい。
【００７７】
また、図３に示すように、全橋梁管理ページ２０では、管理サーバ４で管理を行う全橋梁を一覧表示している。整理番号、橋梁名、所在地、点検年月日、架設年月、投稿写真件数、投稿メールアドレス等を掲載することができる。
【００７８】
また、投稿写真件数の下部にある承認または非承認の表記は、管理サーバ４に記録された橋梁の写真データのうち、管理者が公開可能か否かの判断を行い、それを反映した項目となっている。
【００７９】
また、投稿メールアドレスとは、該当する橋梁に点検情報を送信する際の電子メールアドレスであり、携帯電話機３に表示されるものと同じものである。また、閲覧画面の項目にあるタブをクリックすると、各橋梁の個別管理ページ２１を開くことができる。全橋梁管理ページ２０により、管理対象となる橋梁を一元管理することができる。
【００８０】
また、図４に示すように、個別管理ページ２１では、１つの橋梁に関する最新の点検情報を掲載している。画面上には、写真データ１０、点検箇所情報１１、点検項目情報１２及び点検箇所の損傷度情報１３が掲載されている。
【００８１】
個別管理ページ２１には、上部に橋梁名が記載され、該当する橋梁の点検箇所ごとの写真データ１０が掲載されている。また、点検を行った日付、情報の公開日時、写真データの撮影日時、管理サーバの受信日時、点検者から管理サーバへの情報の送信日時の情報が記載されている。
【００８２】
また、撮影箇所の横の数字は点検箇所情報１１に該当し、橋梁の点検すべき箇所として定められた特定の位置を反映した数字を示している。
【００８３】
また、個別管理ページ２１には、左欄にカテゴリと記載された項目があり、これが点検項目情報１２に該当する。点検項目情報１２は、管理する対象物の種類ごとや、管理を行う主体、例えば、県の行政が主体である場合には、県で設定した項目に応じて任意の項目を設定することができる。
【００８４】
また、個別管理ページ２１には、点検箇所ごとに損傷区分の項目があり、これが点検箇所の損傷度情報１３に該当する。ここでは、Ａ〜Ｃの評価を設定し、損傷区分Ｃは点検項目情報１２に記載された項目の損傷状況がひどい状態を表している。また、この各点検箇所の損傷度情報１３を総合的に考慮して、損傷度判定部１８が橋梁の損傷度の判定を行うものとなっている。
【００８５】
また、個別管理ページ２１では、履歴情報データベース１５とリンクしており、画面左下に位置する補修履歴写真２９の項目から、橋梁の過去の履歴に関する情報も閲覧することができる。
【００８６】
また、個別管理ページ２１では、管理情報出力部１６とリンクしており、画面左下の添付資料３０の項目を選択することで、該当する橋梁について、必要に応じた記載形式の書類を出力できる。また、添付資料３０は、データとしてダウンロードすることも可能である。
【００８７】
ここで、全橋梁管理ページ２０及び個別管理パージ２１に掲載される情報の内容は特に限定されるものではない。図３及び図４の掲載内容は一例であり、管理作業に必要な項目を適宜選択して掲載することができる。
【００８８】
以下、本発明に実施形態ついて図面を参照しながら説明する。
図５は、本発明を適用した対象物管理方法の点検の流れを示すフロー図である。
【００８９】
ここでは、前述した対象物管理システム１を用いた橋梁の点検の流れを説明する。なお、ここで示す橋梁管理方法３１は、本発明を適用した対象物管理方法の一例であり、内容は以下に示すものに限定されるものではない。
【００９０】
まず、図５に示すように、橋梁管理方法３１は、二次元コード確認ステップ（Ｓ１）、点検箇所の撮影ステップ（Ｓ２）、管理サーバログインステップ（Ｓ３）、メールアドレス選択ステップ（Ｓ４）、点検情報送信入力及び送信ステップ（Ｓ５）を有している。
【００９１】
二次元コード確認ステップ（Ｓ１）では、点検者が対象となる橋梁２に貼りつけられた二次元コード６自体を携帯電話機３で写真撮影する。この二次元コード６の写真データは、点検情報と共に管理サーバ４に送信され、管理者が端末画面上で確認することができる。端末画面上に表示された画像からも二次元コード６の携帯電話機３による読み取りが可能であり、点検情報と橋梁２が正しい組み合わせとなっているかを管理者側でも確認することが可能となっている。
【００９２】
また、点検箇所の撮影ステップ（Ｓ２）では、点検者が橋梁２の点検箇所を携帯電話機３で写真撮影する。また、設定された点検項目情報１２に基づき、該当箇所の損傷状況の確認を行う。
【００９３】
また、管理サーバログインステップ（Ｓ３）では、橋梁２に貼りつけられた二次元コード６を携帯電話機３で読み取る。読み取りを行うと、携帯電話機３がＵＲＬを認識し、管理サーバ４にアクセスすることができる。
【００９４】
携帯電話機３が管理サーバ４にアクセスすると、管理サーバ４の入力フォーム部７により、点検者の携帯電話機３の画面にユーザ識別情報の入力フォームが表示される。入力フォームにユーザＩＤ３２、パスワード３３を入力して、ログインタブ３４をクリックすることで、橋梁２の点検情報の送信用のページに進むことができる。
【００９５】
また、メールアドレス選択ステップ（Ｓ４）では、管理サーバ４の電子メールアドレス表示部８が、入力されたユーザＩＤ３２及びパスワード３３が所定の権限を有するＩＤ等に合致すると判断した場合に、携帯電話機３の画面に橋梁２の点検情報の送信用のページが表示される。ここで、管理者が点検を行った橋梁２に対応する電子メールアドレス３５が表示され、アドレスを選択することで管理サーバ４に橋梁２の点検情報を送信することができる。
【００９６】
また、権限を有するユーザＩＤ３２とパスワード３３を持つものであれば、管理サーバ４にアクセスすると、管理情表示部１９の閲覧や、情報公開部２２における情報公開の承認または非承認を選択することもできる。
【００９７】
また、点検情報送信入力及び送信ステップ（Ｓ５）では、橋梁２の電子メールアドレス３５宛てに点検情報３６の送信を行う。点検箇所の撮影ステップ（Ｓ２）で得られた橋梁２の点検箇所の写真データ１０、点検箇所情報１１、点検項目情報１２及び点検箇所の損傷度情報１３を電子メールに添付、記載して情報の送信を行う。点検者から送信された情報は、管理サーバ４の情報更新部１４で受信される。
【００９８】
以上までが、橋梁の点検の流れを示したものである。続いて、点検情報受信後の管理サーバ４における情報の取扱いについて説明する。
図６は、情報更新部による点検情報の更新を示す概略図である。図７は、管理情報出力部による書類作成を示す概略図である。図８は、情報更新部の点検情報の更新時の条件を示す概略図である。
【００９９】
図６に示すように、管理サーバ４の情報更新部１４が、点検者の携帯電話機３から点検情報３６を受信する。また、情報更新部１４が管理サーバ４の点検情報データベース９に記録された橋梁２の過去の点検情報を最新の点検情報３６へと更新を行う。なお、更新時の撮影日時等の時間差の取扱いについては、後述する図８で説明する。
【０１００】
点検情報３６に含まれる点検箇所の写真データ１０、点検箇所情報１１、点検項目情報１２及び点検箇所の損傷度情報１３が、点検情報データベース９の橋梁２について記録した部分に反映され、情報の更新がなされる。
【０１０１】
また、図７に示すように、管理サーバ４の管理情報出力部１６は、情報更新部１４による更新と同時に、新しく記録された情報を所定の記載形式の各種書類に反映させる。書類は、橋梁２の点検情報に対応させて、複数の記載形式を作成することができる。
【０１０２】
例えば、図７の左下に記載した調書３７は、橋梁の点検箇所の写真データ１０、点検箇所情報１１、点検項目情報１２及び点検箇所の損傷度情報１３の各項目が反映された内容となっている。また、図７の右に記載した調書３８では、橋梁名や点検年月日の情報と共に点検箇所の写真データ１０が反映されている。このように、管理情報出力部１６は、必要に応じた掲載内容の書類へと新しく更新された点検情報を反映させ、データや紙媒体で出力可能なものとなっている。
【０１０３】
また、図８に示すように、管理サーバ４では、情報更新部１４が点検情報３６を更新すべき情報として取り扱う時の条件を設定することができる。例として、情報更新部１４が、橋梁の写真データ１０の写真撮影日時（Ｓ６）と管理サーバ４への情報の送信日時（Ｓ７）、または、管理サーバ４への情報の送信日時（Ｓ７）と情報の受信日時（Ｓ８）の間の時間差が１０分内である場合にのみ、点検情報の更新を行うように設定する。
【０１０４】
写真データ１０の写真撮影日時（Ｓ６）と管理サーバ４への情報の送信日時（Ｓ７）、管理サーバ４への情報の送信日時（Ｓ７）と情報の受信日時（Ｓ８）の間の時間差が、図７（ｂ）に示すようにそれぞれ１０分以内であることから、情報更新部１４は、送信された点検情報を更新可能な情報として扱うこととなる。
【０１０５】
一方、各日時の時間差が１０分を超えた場合には、情報更新部１４は、送信された点検情報の内容で、点検情報データベース９の更新を行わない。このように、写真データ１０の写真撮影日時（Ｓ６）と管理サーバ４への情報の送信日時（Ｓ７）、管理サーバ４への情報の送信日時（Ｓ７）と情報の受信日時（Ｓ８）の間の時間差に制限を設けることで、点検からサーバの情報受信までを一連の流れで行う必要が生じ、過去に撮影した他の画像を点検情報として代用するといった不正を抑制することができる。つまり、点検の整合性を担保することが可能となる。
【０１０６】
以上のように、対象物管理サーバは、対象物を効率良く管理することができ、かつ、管理情報の利用が容易なものとなっている。
また、本発明に係る対象物管理システムは、対象物を効率良く管理することができ、かつ、管理情報の利用が容易なものとなっている。
また、本発明に係る対象物管理方法は、対象物を効率良く管理することができ、かつ、管理情報の利用が容易なものとなっている。
【符号の説明】
【０１０７】
１      対象物管理システム
２      橋梁
３      携帯電話機
４      管理サーバ
５      管理者端末
６      二次元コード
７      入力フォーム部
８      電子メールアドレス表示部
９      点検情報データベース
１０      写真データ
１１      点検箇所情報
１２      点検項目情報
１３      点検箇所の損傷度情報
１４      情報更新部
１５      履歴情報データベース
１６      管理情報出力部
１７      書類
１８      損傷度判定部
１９      管理情報表示部
２０      全橋梁管理ページ
２１      個別管理ページ
２２      情報公開部
２３      二次元コード本体
２４      透明ポリウレタン樹脂
２５      ガラス連続繊維シート
２６      ポリウレタン樹脂
２７      透明ポリウレタン樹脂
２８      インターネット
２９      補修履歴写真
３０      添付資料
３１      橋梁管理方法
３２      ユーザＩＤ
３３      パスワード
３４      ログインタブ
３５      電子メールアドレス
３６      点検情報
３７      調書
３８      調書
【図１】
2014229230.tif 000003
【図２】
2014229230.tif 000004
【図３】
2014229230.tif 000005
【図４】
2014229230.tif 000006
【図５】
2014229230.tif 000007
【図６】
2014229230.tif 000008
【図７】
2014229230.tif 000009
【図８】
2014229230.tif 000010
【図９】
2014229230.tif 000011